【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
音のデジタル信号を符号化した第１ビットストリームと前記音のデジタル信号の再生帯域を拡大するための帯域拡大情報を符号化した第２ビットストリームとからなる符号化信号を復号化する復号化装置であって、
前記符号化信号から前記第１ビットストリームと、前記第２ビットストリームを分離する分離手段と、
分離された前記第１ビットストリームに基づいて、第１音のデジタル信号を再生する第１再生手段と、
分離された前記第１ビットストリームおよび第２ビットストリームに基づいて、前記第１再生手段が再生する第１音のデジタル信号よりも広帯域の第２音のデジタル信号を再生する第２再生手段とを備え、
前記第２ビットストリームには、前記帯域拡大情報の符号量のサイズを示すサイズ情報が多重化されており、
前記分離手段は、前記第２ビットストリームに含まれるサイズ情報に基づいて、前記符号化信号から前記第２ビットストリームを分離する
ことを特徴とする復号化装置。
【請求項２】
前記復号化装置は、さらに
前記第１再生手段で再生された第１音のデジタル信号および前記第２再生手段で再生された第２音のデジタル信号のいずれかを選択して出力する選択手段を備える
ことを特徴とする請求項１記載の復号化装置。
【請求項３】
前記復号化装置は、さらに、第１モードおよび第２モードのいずれかを指定するモード情報を前記選択手段に通知するモード設定手段を備え、
前記選択手段は、前記モード設定手段から通知されたモード情報が第１モードを示す場合には、前記第１再生手段で再生された第１音のデジタル信号を選択して出力し、第２モードを示す場合には、前記第２再生手段で再生された第２音のデジタル信号を選択して出力する
ことを特徴とする請求項２記載の復号化装置。
【請求項４】
前記モード設定手段は、ユーザからの指示に基づいて、前記第１モードおよび第２モードのいずれかを指定するモード情報を生成して前記選択手段に通知する
ことを特徴とする請求項３記載の復号化装置。
【請求項５】
前記モード設定手段は、前記第１ビットストリームに含まれる音のデジタル信号の種別に基づいて、前記第１モードおよび第２モードのいずれかを指定するモード情報を生成して前記選択手段に通知する
ことを特徴とする請求項３記載の復号化装置。
【請求項６】
前記モード設定手段は、前記第１ビットストリームに含まれる音のデジタル信号の種別が音楽である場合には、第２モードを指定するモード情報を生成して前記選択手段に通知し、前記第１ビットストリームに含まれる音のデジタル信号の種別が音楽でない場合には、第１モードを指定するモード情報を生成して前記選択手段に通知する
ことを特徴とする請求項５記載の復号化装置。
【請求項７】
前記モード設定手段は、当該復号化装置を備える機器の状態に応じて、前記第１モードおよび第２モードのいずれかを指定するモード情報を生成して前記選択手段に通知する
ことを特徴とする請求項３記載の復号化装置。
【請求項８】
前記モード設定手段は、前記機器が備えるバッテリーのエネルギー残量が一定値以下の場合に、第１モードを指定するモード情報を生成して前記選択手段に通知し、前記機器が備えるバッテリーのエネルギー残量が一定値を超える場合に、第２モードを指定するモード情報を生成して前記選択手段に通知する
ことを特徴とする請求項７記載の復号化装置。
【請求項９】
前記モード設定手段は、さらに、前記モード情報を前記第２再生手段に通知し、
前記第２再生手段は、前記モード設定手段から通知されたモード情報が第１モードを示す場合に、前記第２ビットストリームから前記第２の音のデジタル信号への再生を停止する
ことを特徴とする請求項３記載の復号化装置。
【請求項１０】
前記第１再生手段は、
前記分離手段によって分離された第１ビットストリームを中間信号に変換する第１変換部と、
前記第１変換部での変換によって得られた中間信号を第１音のデジタル信号に変換する第２変換部とを有し、
前記第２再生手段は、
前記分離手段によって分離された第２ビットストリームに含まれる帯域拡大情報と前記第１変換部での変換によって得られた中間信号とを用いて、前記第２音のデジタル信号を再生する
ことを特徴とする請求項１記載の復号化装置。
【請求項１１】
前記中間信号は、周波数スペクトルを示す情報である
ことを特徴とする請求項１０記載の復号化装置。
【請求項１２】
前記第２再生手段は、さらに、
前記第１変換部で得られた周波数スペクトルの情報から、前記帯域拡大情報にしたがって、当該周波数スペクトルの帯域よりも広い帯域の周波数スペクトルを生成する広帯域スペクトル生成部と、
生成された周波数スペクトルと前記第１変換部で得られた周波数スペクトルとから、前記広帯域の音のデジタル信号を生成する広帯域音のデジタル信号生成部とを有する
ことを特徴とする請求項１１記載の復号化装置。
【請求項１３】
前記復号化装置は、さらに、
前記第１再生手段で再生された第１音のデジタル信号および前記第２再生手段で再生された第２音のデジタル信号のいずれかを選択して出力する選択手段と、
第１モードおよび第２モードのいずれかを指定するモード情報を前記選択手段に通知するモード設定手段とを備え、
前記選択手段は、前記モード設定手段から通知されたモード情報が第１モードを示す場合には、前記第１再生手段で再生された音のデジタル信号を選択して出力し、第２モードを示す場合には、前記第２再生手段で再生された音のデジタル信号を選択して出力する
ことを特徴とする請求項１２記載の復号化装置。
【請求項１４】
前記モード設定手段は、さらに、前記モード情報を前記第２再生手段に通知し、
前記第２再生手段は、前記広帯域スペクトル生成部による前記周波数スペクトルの生成および前記広帯域音のデジタル信号生成部による前記第２音のデジタル信号の生成の少なくとも１つを停止させる
ことを特徴とする請求項１３記載の復号化装置。
【請求項１５】
前記中間信号は、時間軸信号である
ことを特徴とする請求項１０記載の復号化装置。
【請求項１６】
前記第１ビットストリームと前記第２ビットストリームとは、所定のフレームごとに交互に多重化されており、
前記分離手段は、前記符号化信号から前記第２ビットストリームを分離する
ことを特徴とする請求項１記載の復号化装置。
【請求項１７】
前記帯域拡大情報の符号量は、フレームごとに可変であり、
前記分離手段は、前記第２ビットストリームに含まれるサイズ情報に基づいて、前記符号化信号からサイズが異なる前記第２ビットストリームを分離する
ことを特徴とする請求項１６記載の復号化装置。
【請求項１８】
前記サイズ情報は、前記第２ビットストリームの先頭に配置され、
前記分離手段は、前記第２ビットストリームの先頭に含まれるサイズ情報から前記帯域拡大情報の符号量のサイズを特定し、特定したサイズに基づいて、前記符号化信号から前記第２ビットストリームを分離する
ことを特徴とする請求項１７記載の復号化装置。
【請求項１９】
前記サイズ情報は、前記帯域拡大情報の符号量のサイズを示すＮビット、又は、（Ｎ＋Ｍ）ビットであり、
前記分離手段は、前記第２ビットストリームの先頭に含まれる前記Ｎ又は（Ｎ＋Ｍ）ビットから前記帯域拡大情報の符号量のサイズを特定し、特定したサイズに基づいて、前記符号化信号から前記第２ビットストリームを分離する
ことを特徴とする請求項１８記載の復号化装置。
【請求項２０】
前記（Ｎ＋Ｍ）ビットにおけるＮビットは、Ｎビットが表現できる最大値を示し、前記Ｍビットは、前記帯域拡大情報の符号量のうち、前記最大値が示すサイズを超える符号量のサイズを示している
ことを特徴とする請求項１９記載の復号化装置。
【請求項２１】
音のデジタル信号を符号化する符号化装置であって、
入力された音のデジタル信号について、符号化する第１符号化手段と、
入力された音のデジタル信号から、前記第１符号化手段によって符号化された信号の再生帯域を拡大するための帯域拡大情報を生成し、符号化する第２符号化手段と、
前記第２符号化手段で得られた符号化信号のサイズを算出するサイズ算出手段と、
前記サイズ算出手段で算出されたサイズを示す情報と前記第２符号化手段で得られた符号化信号とを多重化する第１多重化手段と、
前記第１符号化手段で得られた第１ビットストリームと前記第１多重化手段で得られた第２ビットストリームとを多重化する第２多重化手段と
を備えることを特徴とする符号化装置。
【請求項２２】
第２多重化手段は、前記第１ビットストリームと前記第２ビットストリームとを、所定のフレームごとに交互に多重化する
ことを特徴とする請求項２１記載の符号化装置。
【請求項２３】
前記第１多重化手段は、前記サイズを示す情報が前記第２ビットストリームの先頭に配置されるように、前記サイズを示す情報と前記符号化信号とを多重化する
ことを特徴とする請求項２２記載の符号化装置。
【請求項２４】
前記サイズを示す情報は、前記帯域拡大情報の符号量のサイズを示すＮビット、又は、（Ｎ＋Ｍ）ビットであり、
前記サイズ算出手段は、前記帯域拡大情報の符号量のサイズがＮビットで表される最大値未満であるか否かに基づいて、Ｎビットおよび（Ｎ＋Ｍ）ビットのいずれを用いるかを決定する
ことを特徴とする請求項２３記載の符号化装置。
【請求項２５】
前記（Ｎ＋Ｍ）ビットにおけるＮビットは、Ｎビットが表現できる最大値を示し、前記Ｍビットは、前記帯域拡大情報の符号量のうち、前記最大値が示すサイズを超える符号量のサイズを示している
ことを特徴とする請求項２４記載の符号化装置。
【請求項２６】
伝送路で接続された符号化装置と復号化装置からなる通信システムであって、
前記符号化装置は、
入力された音のデジタル信号について、符号化する第１符号化手段と、
入力された音のデジタル信号から、前記第１符号化手段によって符号化された信号の再生帯域を拡大するための帯域拡大情報を生成し、符号化する第２符号化手段と、
前記第２符号化手段で得られた符号化信号のサイズを算出するサイズ算出手段と、
前記サイズ算出手段で算出されたサイズを示す情報と前記第２符号化手段で得られた符号化信号とを多重化する第１多重化手段と、
前記第１符号化手段で得られた第１ビットストリームと前記第１多重化手段で得られた第２ビットストリームとを多重化する第２多重化手段とを備え、
前記復号化装置は、
前記符号化信号から前記第１ビットストリームと、前記第２ビットストリームを分離する分離手段と、
分離された前記第１ビットストリームに基づいて、第１音のデジタル信号を再生する第１再生手段と、
分離された前記第１ビットストリームおよび第２ビットストリームに基づいて、前記第１再生手段が再生する第１音のデジタル信号よりも広帯域の第２音のデジタル信号を再生する第２再生手段とを備え、
前記第２ビットストリームには、前記帯域拡大情報の符号量のサイズを示すサイズ情報が多重化されており、
前記分離手段は、前記第２ビットストリームに含まれるサイズ情報に基づいて、前記符号化信号から前記第２ビットストリームを分離する
ことを特徴とする通信システム。
【請求項２７】
音のデジタル信号を符号化した第１ビットストリームと前記音のデジタル信号の再生帯域を拡大するための帯域拡大情報を符号化した第２ビットストリームとからなる符号化信号を復号化する復号化方法であって、
前記符号化信号から前記第１ビットストリームと、前記第２ビットストリームを分離する分離ステップと、
分離された前記第１ビットストリームに基づいて、第１音のデジタル信号を再生する第１再生ステップと、
分離された前記第１ビットストリームおよび第２ビットストリームに基づいて、前記第１再生手段が再生する第１音のデジタル信号よりも広帯域の第２音のデジタル信号を再生する第２再生ステップとを含み、
前記第２ビットストリームには、前記帯域拡大情報の符号量のサイズを示すサイズ情報が多重化されており、
前記分離ステップでは、前記第２ビットストリームに含まれるサイズ情報に基づいて、前記符号化信号から前記第２ビットストリームを分離する
ことを特徴とする復号化方法。
【請求項２８】
音のデジタル信号を符号化する符号化方法であって、
入力された音のデジタル信号について、符号化する第１符号化ステップと、
入力された音のデジタル信号から、前記第１符号化ステップによって符号化された信号の再生帯域を拡大するための帯域拡大情報を生成し、符号化する第２符号化ステップと、
前記第２符号化ステップで得られた符号化信号のサイズを算出するサイズ算出ステップと、
前記サイズ算出ステップで算出されたサイズを示す情報と前記第２符号化ステップで得られた符号化信号とを多重化する第１多重化ステップと、
前記第１符号化ステップで得られた第１ビットストリームと前記第１多重化ステップで得られた第２ビットストリームとを多重化する第２多重化ステップと
を含むことを特徴とする符号化方法。
【請求項２９】
伝送路で接続された符号化装置と復号化装置からなるシステムにおける通信方法であって、
前記符号化装置において、
入力された音のデジタル信号について、符号化する第１符号化ステップと、
入力された音のデジタル信号から、前記第１符号化ステップによって符号化された信号の再生帯域を拡大するための帯域拡大情報を生成し、符号化する第２符号化ステップと、
前記第２符号化ステップで得られた符号化信号のサイズを算出するサイズ算出ステップと、
前記サイズ算出ステップで算出されたサイズを示す情報と前記第２符号化ステップで得られた符号化信号とを多重化する第１多重化ステップと、
前記第１符号化ステップで得られた第１ビットストリームと前記第１多重化ステップで得られた第２ビットストリームとを多重化する第２多重化ステップとを含み、
前記復号化装置において、
前記符号化信号から前記第１ビットストリームと、前記第２ビットストリームを分離する分離ステップと、
分離された前記第１ビットストリームに基づいて、第１音のデジタル信号を再生する第１再生ステップと、
分離された前記第１ビットストリームおよび第２ビットストリームに基づいて、前記第１再生ステップが再生する第１音のデジタル信号よりも広帯域の第２音のデジタル信号を再生する第２再生ステップとを含み、
前記第２ビットストリームには、前記帯域拡大情報の符号量のサイズを示すサイズ情報が多重化されており、
前記分離ステップでは、前記第２ビットストリームに含まれるサイズ情報に基づいて、前記符号化信号から前記第２ビットストリームを分離する
ことを特徴とする通信方法。
【請求項３０】
音のデジタル信号を符号化した第１ビットストリームと前記音のデジタル信号の再生帯域を拡大するための帯域拡大情報を符号化した第２ビットストリームとからなる符号化信号を復号化するためのプログラムであって、
前記符号化信号から前記第１ビットストリームと、前記第２ビットストリームを分離する分離ステップと、
分離された前記第１ビットストリームに基づいて、第１音のデジタル信号を再生する第１再生ステップと、
分離された前記第１ビットストリームおよび第２ビットストリームに基づいて、前記第１再生手段が再生する第１音のデジタル信号よりも広帯域の第２音のデジタル信号を再生する第２再生ステップとを含み、
前記第２ビットストリームには、前記帯域拡大情報の符号量のサイズを示すサイズ情報が多重化されており、
前記分離ステップでは、前記第２ビットストリームに含まれるサイズ情報に基づいて、前記符号化信号から前記第２ビットストリームを分離する
ことを特徴とするプログラム。
【請求項３１】
音のデジタル信号を符号化するためのプログラムであって、
入力された音のデジタル信号について、符号化する第１符号化ステップと、
入力された音のデジタル信号から、前記第１符号化ステップによって符号化された信号の再生帯域を拡大するための帯域拡大情報を生成し、符号化する第２符号化ステップと、
前記第２符号化ステップで得られた符号化信号のサイズを算出するサイズ算出ステップと、
前記サイズ算出ステップで算出されたサイズを示す情報と前記第２符号化ステップで得られた符号化信号とを多重化する第１多重化ステップと、
前記第１符号化ステップで得られた第１ビットストリームと前記第１多重化ステップで得られた第２ビットストリームとを多重化する第２多重化ステップと
を含むことを特徴とするプログラム。
【請求項３２】
復号化装置により復号化される符号化信号を格納する記録媒体であって、
前記復号化装置は、
前記符号化信号から前記第１ビットストリームと、前記第２ビットストリームを分離する分離手段と、
分離された前記第１ビットストリームに基づいて、第１音のデジタル信号を再生する第１再生手段と、
分離された前記第１ビットストリームおよび第２ビットストリームに基づいて、前記第１再生手段が再生する第１音のデジタル信号よりも広帯域の第２音のデジタル信号を再生する第２再生手段とを備え、
前記第２ビットストリームには、前記帯域拡大情報の符号量のサイズを示すサイズ情報が多重化されており、
前記分離手段は、前記第２ビットストリームに含まれるサイズ情報に基づいて、前記符号化信号から前記第２ビットストリームを分離し、
前記記録媒体に格納される符号化信号は、
音のデジタル信号を符号化した第１ビットストリームと、当該音のデジタル信号の再生帯域を拡大するための帯域拡大情報を符号化した第２ビットストリームとを有して構成され、
前記第１ビットストリームと前記第２ビットストリームとは、それぞれ所定数のフレームを有するブロック単位で多重化されており、
前記帯域拡大情報の符号量は、フレームごとに可変であり、
前記第２ビットストリームを格納する前記各ブロックは、当該ブロックの終端位置を示す情報を当該ブロックの先頭にそれぞれ有する
ことを特徴とする記録媒体。
【請求項３３】
前記第２ビットストリームの各ブロックの終端位置を示す情報は、当該ブロックのサイズ情報である
ことを特徴とする請求項３２記載の記録媒体。
【請求項３４】
前記サイズ情報は、前記帯域拡大情報の符号量のサイズを示すＮビット、又は、（Ｎ＋Ｍ）ビットであり、
前記帯域拡大情報の符号量のサイズは、Ｎビットで表される最大値未満であるか否かに基づいて、Ｎビットおよび（Ｎ＋Ｍ）ビットのいずれが用いられるかが決定される
ことを特徴とする請求項３３記載の記録媒体。
【請求項３５】
前記（Ｎ＋Ｍ）ビットにおけるＮビットは、Ｎビットが表現できる最大値を示し、前記Ｍビットは、前記帯域拡大情報の符号量のうち、前記最大値が示すサイズを超える符号量のサイズを示している
ことを特徴とする請求項３４記載の記録媒体。
【手続補正２】
【補正対象書類名】明細書
【補正対象項目名】００１０
【補正方法】変更
【補正の内容】
【００１０】
【課題を解決するための手段】
上記の第１の目的を達成するために、本発明に係る復号化装置においては、音のデジタル信号を符号化した第１ビットストリームと前記音のデジタル信号の再生帯域を拡大するための帯域拡大情報を符号化した第２ビットストリームとからなる符号化信号を復号化する復号化装置であって、前記符号化信号から前記第１ビットストリームと、前記第２ビットストリームを分離する分離手段と、分離された前記第１ビットストリームに基づいて、第１音のデジタル信号を再生する第１再生手段と、分離された前記第１ビットストリームおよび第２ビットストリームに基づいて、前記第１再生手段が再生する第１音のデジタル信号よりも広帯域の第２音のデジタル信号を再生する第２再生手段とを備え、前記第２ビットストリームには、前記帯域拡大情報の符号量のサイズを示すサイズ情報が多重化されており、前記分離手段は、前記第２ビットストリームに含まれるサイズ情報に基づいて、前記符号化信号から前記第２ビットストリームを分離することを特徴とする。
ここで、本発明に係る復号化装置においては、前記復号化装置は、さらに前記第１再生手段で再生された第１音のデジタル信号および前記第２再生手段で再生された第２音のデジタル信号のいずれかを選択して出力する選択手段を備えることを特徴とすることができる。
【手続補正３】
【補正対象書類名】明細書
【補正対象項目名】００１２
【補正方法】変更
【補正の内容】
【００１２】
また、本発明に係る復号化装置においては、前記第１再生手段は、前記分離手段によって分離された第１ビットストリームを中間信号に変換する第１変換部と、前記第１変換部での変換によって得られた中間信号を第１音のデジタル信号に変換する第２変換部とを有し、前記第２再生手段は、前記分離手段によって分離された第２ビットストリームに含まれる帯域拡大情報と前記第１変換部での変換によって得られた中間信号とを用いて、前記第２音のデジタル信号を再生することを特徴とすることができる。
また、本発明に係る復号化装置においては、前記中間信号は、周波数スペクトルを示す情報であることを特徴とすることもできる。
また、本発明に係る復号化装置においては、前記第２再生手段は、さらに、前記第１変換部で得られた周波数スペクトルの情報から、前記帯域拡大情報にしたがって、当該周波数スペクトルの帯域よりも広い帯域の周波数スペクトルを生成する広帯域スペクトル生成部と、生成された周波数スペクトルと前記第１変換部で得られた周波数スペクトルとから、前記広帯域の音のデジタル信号を生成する広帯域音のデジタル信号生成部とを有することを特徴とすることもできる。
また、本発明に係る復号化装置においては、前記復号化装置は、さらに、前記第１再生手段で再生された第１音のデジタル信号および前記第２再生手段で再生された第２音のデジタル信号のいずれかを選択して出力する選択手段と、第１モードおよび第２モードのいずれかを指定するモード情報を前記選択手段に通知するモード設定手段とを備え、前記選択手段は、前記モード設定手段から通知されたモード情報が第１モードを示す場合には、前記第１再生手段で再生された音のデジタル信号を選択して出力し、第２モードを示す場合には、前記第２再生手段で再生された音のデジタル信号を選択して出力することを特徴としてもよい。
【手続補正４】
【補正対象書類名】明細書
【補正対象項目名】００１３
【補正方法】変更
【補正の内容】
【００１３】
また、第２の目的を達成するためにまた、本発明に係る復号化装置においては、さらに、前記モード設定手段は、さらに、前記モード情報を前記第２再生手段に通知し、前記第２再生手段は、前記モード設定手段から通知されたモード情報が第１モードを示す場合に、前記第２ビットストリームから前記第２音のデジタル信号への再生を停止することを特徴としてもよい。
また、本発明に係る復号化装置においては、前記モード設定手段は、さらに、前記モード情報を前記第２再生手段に通知し、前記第２再生手段は、前記広帯域スペクトル生成部による前記周波数スペクトルの生成および前記第２音のデジタル信号生成部による第２音のデジタル信号の生成の少なくとも１つを停止させることを特徴としてもよい。
【手続補正５】
【補正対象書類名】明細書
【補正対象項目名】００１４
【補正方法】変更
【補正の内容】
【００１４】
さらに、本発明に係る復号化装置においては、前記第１ビットストリームと前記第２ビットストリームとは、所定のフレームごとに交互に多重化されており、前記分離手段は、前記符号化信号から前記第２ビットストリームを分離することを特徴とすることができる。
また、本発明に係る復号化装置においては、前記帯域拡大情報の符号量は、フレームごとに可変であり、前記分離手段は、前記第２ビットストリームに含まれるサイズ情報に基づいて、前記符号化信号からサイズが異なる前記第２ビットストリームを分離することを特徴とすることもできる。
また、本発明に係る復号化装置においては、前記サイズ情報は、前記第２ビットストリームの先頭に配置され、前記分離手段は、前記第２ビットストリームの先頭に含まれるサイズ情報から前記帯域拡大情報の符号量のサイズを特定し、特定したサイズに基づいて、前記符号化信号から前記第２ビットストリームを分離することを特徴とすることもできる。
また、本発明に係る復号化装置においては、前記サイズ情報は、前記帯域拡大情報の符号量のサイズを示すＮビット、又は、（Ｎ＋Ｍ）ビットであり、前記分離手段は、前記第２ビットストリームの先頭に含まれる前記Ｎ又は（Ｎ＋Ｍ）ビットから前記帯域拡大情報の符号量のサイズを特定し、特定したサイズに基づいて、前記符号化信号から前記第２ビットストリームを分離することを特徴とすることもできる。
また、本発明に係る復号化装置においては、前記（Ｎ＋Ｍ）ビットにおけるＮビットは、Ｎビットが表現できる最大値を示し、前記Ｍビットは、前記帯域拡大情報の符号量のうち、前記最大値が示すサイズを超える符号量のサイズを示していることを特徴としてもよい。
【手続補正６】
【補正対象書類名】明細書
【補正対象項目名】００１５
【補正方法】変更
【補正の内容】
【００１５】
さらに、上記第３の目的を達成するために、本発明に係る符号化装置においては、音のデジタル信号を符号化する符号化装置であって、入力された音のデジタル信号について、符号化する第１符号化手段と、入力された音のデジタル信号から、前記第１符号化手段によって符号化された信号の再生帯域を拡大するための帯域拡大情報を生成し、符号化する第２符号化手段と、前記第２符号化手段で得られた符号化信号のサイズを算出するサイズ算出手段と、前記サイズ算出手段で算出されたサイズを示す情報と前記第２符号化手段で得られた符号化信号とを多重化する第１多重化手段と、前記第１符号化手段で得られた第１ビットストリームと前記第１多重化手段で得られた第２ビットストリームとを多重化する第２多重化手段とを備えることを特徴とする。
【手続補正７】
【補正対象書類名】明細書
【補正対象項目名】００１６
【補正方法】変更
【補正の内容】
【００１６】
ここで、本発明に係る符号化装置においては、第２多重化手段は、前記第１ビットストリームと前記第２ビットストリームとを、所定のフレームごとに交互に多重化することを特徴とすることができる。
また、本発明に係る符号化装置においては、前記第１多重化手段は、前記サイズを示す情報が前記第２ビットストリームの先頭に配置されるように、前記サイズを示す情報と前記符号化信号とを多重化することを特徴とすることもできる。
また、本発明に係る符号化装置においては、前記サイズを示す情報は、前記帯域拡大情報の符号量のサイズを示すＮビット、又は、（Ｎ＋Ｍ）ビットであり、前記サイズ算出手段は、前記帯域拡大情報の符号量のサイズがＮビットで表される最大値未満であるか否かに基づいて、Ｎビットおよび（Ｎ＋Ｍ）ビットのいずれを用いるかを決定することを特徴とすることもできる。
また、本発明に係る符号化装置においては、前記（Ｎ＋Ｍ）ビットにおけるＮビットは、Ｎビットが表現できる最大値を示し、前記Ｍビットは、前記帯域拡大情報の符号量のうち、前記最大値が示すサイズを超える符号量のサイズを示していることを特徴としてもよい。